(57)【要約】【課題】製造組付けが簡単で、紛失や付け忘れの心配がなく、破損するおそれのない取手孔閉塞用弾性キャップを提供する。【解決手段】機器を持ち運ぶときに、外装カバー４０の取手孔４１を通して複写機装置本体（機器本体）１０から引出し取手２０を引き出す。運搬を行わないときは、引出し取手を複写機装置本体内に押し込んで格納状態とする。このとき、取手孔は、引出し取手２０で保持する弾性キャップ２２で塞ぐ。弾性キャップには、引出し取手２０にはめ付けて取り付ける取付部２３と、その取付部をはめつけた状態で引出し取手を格納状態としたとき自身の弾性で取り付けて機器の取手孔４１を塞ぐ閉塞部２４を有する。【選択図】      図６
2006222301.tif 000002
【特許請求の範囲】
【請求項１】
機器運搬用の引出し取手にはめ付ける取付部と、その取付部をはめ付けた状態で前記引出し取手を格納状態としたとき自身の弾性で取り付けて機器の取手孔を塞ぐ閉塞部を有することを特徴とする、取手孔閉塞用弾性キャップ。
【請求項２】
前記閉塞部に、前記取手孔の孔縁に掛け止めるラッチ部を設けることを特徴とする、請求項１に記載の取手孔閉塞用弾性キャップ。
【請求項３】
前記閉塞部に、指先を入れて前記ラッチ部を外すための溝部を設けることを特徴とする、請求項２に記載の取手孔閉塞用弾性キャップ。
【請求項４】
前記取付部と前記閉塞部との間に薄肉ヒンジ部を設けることを特徴とする、請求項１ないし３のいずれか１に記載の取手孔閉塞用弾性キャップ。
【請求項５】
前記取付部に前記引出し取手に掛け止めるフック部を設けることを特徴とする、請求項１ないし４のいずれか１に記載の取手孔閉塞用弾性キャップ。
【請求項６】
請求項１ないし５のいずれか１に記載の取手孔閉塞用弾性キャップを備えることを特徴とする、機器。
【発明の詳細な説明】
【技術分野】
【０００１】
この発明は、一人では持ち運ぶことが難しい、比較的重量のある事務機などの機器に関する。例えば、複写機、プリンタ、ファクシミリまたはそれらの複合機などの画像形成装置に関する。および、そのような機器の中には、運搬時に機器本体の外装カバーなどに設ける取手孔から引出し取手を引き出し、その引出し取手を持って持ち運ぶものがあるが、この発明は、その種の機器にあって、運搬後に引出し取手を格納したとき、取手孔を塞いで外観上の見栄えを向上する取手孔閉塞用弾性キャップに関する。
【背景技術】
【０００２】
従来、例えば複写機の中には、例えば図９に示すように、複写機装置本体１の左右の側面に、各々２つの金属製の引出し取手２を間隔をあけて備え、引出し取手２を使用しない通常時は押し込んで図示するごとく複写機装置本体１内に格納し、外装カバー３に設ける各取手孔をそれぞれゴム製等の取手孔閉塞用弾性キャップ４で塞ぎ、格納した引出し取手２を隠して見栄えを良くするものがある。
【０００３】
そして、複写機の運搬時は、図１０に示すように取手孔から弾性キャップ４を取り外し、次いで図１１に示すように引出し取手２を取手孔を通して複写機装置本体１から引き出し、その引出し取手２を持って複写機を移動していた。移動後は、引出し取手２を押し込んで再び複写機装置本体１内に格納し、図９に示すように外装カバー３の取手孔を取手孔閉塞用弾性キャップ４で塞いでいた。
【０００４】
また、従来の画像形成装置の中には、例えば図１２に示すように、外装カバー３の取手孔５に樹脂製のキャップ４を支軸６を中心として回動自在に備え、運搬時には、矢示するごとく回動してキャップ４を図示するように開き、引出し取手２を取手孔５を通して画像形成装置本体１から引き出し、運搬後は引出し取手２を押し込んで再び画像形成装置本体１内に格納し、キャップ４を閉じて取手孔５を塞ぐものがある。
【０００５】
さらに、従来の画像形成装置の中には、例えば図１３に示すように、外装カバー３にゴム製等の弾性キャップ４の一部を取り付けて取手孔を塞ぐとともに、運搬時には弾性キャップ４をめくるように開いて画像形成装置本体１から取手孔を通して引出し取手２を引き出すようにしたものがある。
【０００６】
【特許文献１】特開２０００−９４７９０号公報
【発明の開示】
【発明が解決しようとする課題】
【０００７】
ところが、図９ないし図１１に示すようにゴム製等の弾性キャップ４を取り外すものでは、取り外したキャップ４を紛失したり、引出し取手２を格納後に取手孔に付け忘れたりする問題があった。また、図１２に示すように樹脂製のキャップ４を回動するものでは、紛失や付け忘れの問題はないものの、キャップ４を回動自在に保持するようにしなければならず、また閉じた状態を保持するようにしなければならず、製造組付けに時間がかかり、コスト高となる問題があった。
【０００８】
また、図１３に示すように外装カバー３にゴム製等の弾性キャップ４を回動自在に取り付けるものでは、引出し取手２を持ったときに、誤って外装カバー３で保持する弾性キャップ４も一緒に持ってしまい、力を入れたときに引っ張って弾性キャップ４を破損するおそれがある問題があった。
【０００９】
そこで、この発明の第１の目的は、製造組付けが簡単で、紛失や付け忘れの心配がなく、破損するおそれのない取手孔閉塞用弾性キャップを提供することにある。
【００１０】
この発明の第２の目的は、取手孔の閉塞を確実とした取手孔閉塞用弾性キャップを提供することにある。
【００１１】
この発明の第３の目的は、取手孔の開放を容易とした取手孔閉塞用弾性キャップを提供することにある。
【００１２】
この発明の第４の目的は、取手孔を開放して後に引出し取手を把持して引き出すときに邪魔にならない取手孔閉塞用弾性キャップを提供することにある。
【００１３】
この発明の第５の目的は、引出し取手への取付けを確実とした取手孔閉塞用弾性キャップを提供することにある。
【００１４】
この発明の第６の目的は、上述した目的を達成した取手孔閉塞用弾性キャップを有する画像形成装置などの機器を提供することにある。
【課題を解決するための手段】
【００１５】
そこで、請求項１に記載の発明は、上述した第１の目的を達成すべく、画像形成装置などの機器を運搬するときに機器本体から引き出して手を掛ける機器運搬用の引出し取手にはめ付けて取り付ける取付部と、その取付部を引出し取手にはめ付けた状態で引出し取手を機器内に挿入して格納状態としたとき自身の弾性で機器本体に取り付けて、機器の外装カバーなどに設ける取手孔を塞ぐ閉塞部を有することを特徴とする、ゴム製等の取手孔閉塞用弾性キャップである。
【００１６】
そして、取付部をはめ付けて機器の引出し取手に弾性キャップを取り付け、引出し取手を使用しない通常時は、引出し取手を格納状態として自身の弾性で取り付けて閉塞部で機器の取手孔を塞ぐ。運搬時は、取手孔から閉塞部を取り出して取手孔を開放し、その取手孔を通して、弾性キャップを保持する引出し取手を引き出し、その引出し取手に手を掛けて機器を持ち運ぶ。
【００１７】
請求項２に記載の発明は、上述した第２の目的も達成すべく、請求項１に記載の取手孔閉塞用弾性キャップにおいて、引出し取手を引き出す取手孔を塞ぐ閉塞部に、取手孔の孔縁に掛け止めて閉塞部の閉塞状態を保持するラッチ部を設ける、ことを特徴とする。
【００１８】
請求項３に記載の発明は、上述した第３の目的も達成すべく、請求項２に記載の取手孔閉塞用弾性キャップにおいて、前記閉塞部に、前記ラッチ部を外すときに指先を入れやすくした溝部を設ける、ことを特徴とする。
【００１９】
請求項４に記載の発明は、上述した第４の目的も達成すべく、請求項１ないし３のいずれか１に記載の取手孔閉塞用弾性キャップにおいて、前記取付部と前記閉塞部との間に薄肉ヒンジ部を設ける、ことを特徴とする。
【００２０】
そして、引出し取手を格納した状態で薄肉ヒンジ部を支点として回動して閉塞部を開閉し、取手孔を塞いだり開放したりする。
【００２１】
請求項５に記載の発明は、上述した第５の目的も達成すべく、請求項１ないし４のいずれか１に記載の取手孔閉塞用弾性キャップにおいて、前記取付部に前記引出し取手に掛け止めるフック部を設ける、ことを特徴とする。
【００２２】
そして、取付部をはめ付けて機器の引出し取手に弾性キャップを取り付けたとき、取付部に設けるフック部を引出し取手に掛け止めて引出し取手が抜け出さないようにする。
【００２３】
請求項６に記載の発明は、上述した第６の目的を達成すべく、請求項１ないし５のいずれか１に記載の取手孔閉塞用弾性キャップを備えることを特徴とする、比較的重量のある事務機などの機器である。
【発明の効果】
【００２４】
請求項１に記載の発明によれば、機器運搬用の引出し取手にはめ付ける取付部と、その取付部をはめ付けた状態で引出し取手を格納状態としたとき機器の取手孔を塞ぐ閉塞部を設け、自身の弾性を利用して取手孔に取り付けるだけであるので、取手孔閉塞用弾性キャップの製造組付けを簡単とすることができる。
【００２５】
また、取付部をはめ付けて機器の引出し取手に弾性キャップを取り付けるので、運搬時に弾性キャップを取り外す必要がなく、紛失や付け忘れの心配がなく、さらに持ち運び時に引っ張って破損するおそれのない取手孔閉塞用弾性キャップを提供することができる。
【００２６】
請求項２に記載の発明によれば、閉塞部に、取手孔の孔縁に掛け止めて閉塞状態を保持するラッチ部を設けるので、上述した効果に加えて、取手孔の閉塞を確実とした取手孔閉塞用弾性キャップを提供することができる。
【００２７】
請求項３に記載の発明によれば、閉塞部に、指先を入れてラッチ部を外すための溝部を設けるので、上述した効果に加えて、運搬時は指先を入れやすくした溝部に指先を入れてラッチ部を外せば取手孔を簡単に解放することができ、取手孔の開放を容易とした取手孔閉塞用弾性キャップを提供することができる。
【００２８】
請求項４に記載の発明によれば、引出し取手を格納した状態で薄肉ヒンジ部を支点として回動して閉塞部を開閉し、取手孔を塞いだり開放したりするので、上述した効果に加えて、取手孔を大きく開放して引出し取手を把持して引き出すときに邪魔にならない取手孔閉塞用弾性キャップを提供することができる。
【００２９】
請求項５に記載の発明によれば、取付部をはめ付けて機器の引出し取手に弾性キャップを取り付けたとき、取付部に設けるフック部を引出し取手に掛け止めるので、上述した効果に加えて、引出し取手への取付けを確実とした取手孔閉塞用弾性キャップを提供することができる。
【００３０】
請求項６に記載の発明によれば、機器において、請求項１ないし５のいずれか１に記載の取手孔閉塞用弾性キャップを備えるので、上述した効果を有する取手孔閉塞用弾性キャップを有する画像形成装置などの機器を提供することができる。
【発明を実施するための最良の形態】
【００３１】
以下、図面を参照しつつ、この発明の実施の最良形態につき説明する。
図１には、画像形成装置の一例である複写機を正面から見て示す。
【００３２】
図中符号１０は内部に作像部を備える複写機装置本体、１１は給紙カセット１２を上下二段に備える給紙装置、１３は複写機装置本体１０上に設ける胴内排紙部、１４は胴内排紙部１３を挟んで複写機装置本体１０上に備えるスキャナ、１５はさらにそのスキャナ１４上に取り付ける自動原稿搬送装置（ＡＤＦ）である。１６は、記録媒体の両面に画像を記録するとき片面記録済みの記録媒体を反転して作像部に再給紙する両面記録装置であり、複写機装置本体１０の右側面に取り付けてなる。
【００３３】
このような複写機では、比較的重量があるとともに、周面に適当な手掛け部を有しないことから、複写機装置本体１０の左右両側面の外装カバーに、各々２つずつほぼ同じ高さ位置で間隔をあけて取手孔をあけ、その取手孔から水平方向にスライドして出し入れ自在に運搬用の引出し取手２０を備えてなる。そして、引出し取手２０を複写機装置本体１０内に押し込んで格納状態としたときには、取手孔に取手孔閉塞用弾性キャップ２２を取り付ける。
【００３４】
図２には、弾性キャップ２２を表側の斜め上から見て示す。図３には、裏側の斜め上から見て示す。
【００３５】
弾性キャップ２２は、ゴムなどの弾性材料を用いて、縦幅よりも横幅の大きい細長な取付部２３と、その取付部２３と横幅が等しくかつその横幅と縦幅がほぼ等しい四角い閉塞部２４と、上下の閉塞部２４と取付部２３との間に設ける薄肉ヒンジ部２５とで構成する。取付部２３の裏面には、内部に細長な嵌合孔２６を設けて突出する突部２７を形成する。嵌合孔２６は、入口にフック部２８を設け（図５参照）、嵌合孔２６の内周面に縦向きの突条２９を複数形成する。一方、閉塞部２４の裏面には、矩形枠状の嵌合突部３０と、その嵌合突部３０の上辺に間隔をあけて設けるラッチ部３１と、嵌合突部３０の上辺外側であって閉塞部２４の周縁に設ける溝部３２を形成する。
【００３６】
図４（Ａ）には引出し取手２０の先端部を正面から見て示し、（Ｂ）には側方から見て示す。
【００３７】
引出し取手２０は、金属材料を用いて、強度を上げるためにＵ字状に折り曲げてなり、細長につくる。先端からは図示するように舌片３４を突出して基部両側にアンダーカット部３５を形成し、その基部で下向きにほぼ直角に折り曲げている。そして、複写機装置本体１０内の構造体に取り付け、その構造体で長さ方向にスライド自在にかつ確実に保持する。
【００３８】
図５（Ａ）には弾性キャップ２２の嵌合孔２６に舌片３４を挿入して引出し取手２０に弾性キャップ２２を取り付けた状態を正面から見て示し、（Ｂ）には弾性キャップ２２の裏面側から見て示す。
【００３９】
図から判るとおり、弾性キャップ２２の嵌合孔２６に舌片３４を挿入して突部２７上に引出し取手２０を乗せ、取付部２３に設けるフック部２８を引出し取手２０の舌片３４のアンダーカット部３５に掛け止めて舌片３４が抜け出さないようにし、また複数の突条２９を押し当て、保持力を高めて舌片３４が抜け出さないようにし、取付部２３をはめ付けて複写機装置本体１０の引出し取手２０に弾性キャップ２２を確実に取り付ける。
【００４０】
図６には、引出し取手２０を使用しない通常時の状態を示す。
引出し取手２０を複写機装置本体１０内に押し込んで格納状態とし、弾性キャップ２２の薄肉ヒンジ部２５を支点として回動して閉塞部２４を閉じ、閉塞部２４の嵌合突部３０を外装カバー４０の取手孔４１にはめ込み、ラッチ部３１を取手孔４１の孔縁に掛け止めて取手孔４１の閉塞を確実とし、自身の弾性で取り付けて閉塞部２４で複写機装置本体１０の取手孔４１を塞ぐ。この例では、閉塞部２４のみではなく、取付部２３も用いて取手孔４１を塞いで複写機の外観上の見栄えを良好とする。
【００４１】
図７には、弾性キャップ２２の閉塞部２４を開いて取手孔４１を開放した状態を示す。
複写機を運搬するときには、閉塞部２４の溝部３２に指先を入れて手前に引き、取手孔４１から閉塞部２４を取り外して取手孔４１を容易に開放し、薄肉ヒンジ部２５を支点として回動して閉塞部２４を邪魔にならない位置まで大きく開き、その取手孔４１を通して図８に示すように弾性キャップ２２を保持する引出し取手２０を引き出し、閉塞部２４が邪魔になることなくその引出し取手２０に手を掛けて複写機を持ち運ぶ。
【００４２】
移動後は、複写機装置本体１０内に引出し取手２０を押し込んで格納状態とし、弾性キャップ２２の薄肉ヒンジ部２５を支点として回動して再び閉塞部２４を閉じ、閉塞部２４の嵌合突部３０を外装カバー４０の取手孔４１にはめ込み、ラッチ部３１を取手孔４１の孔縁に掛け止めて閉塞状態を保持し、図６に示すように再び自身の弾性で取り付けて閉塞部２４で複写機装置本体１０の取手孔４１を塞ぐ。
【００４３】
したがって、図示取手孔閉塞用弾性キャップ２２は、運搬用の引出し取手２０にはめ付ける取付部２３と、その取付部２３をはめ付けた状態で引出し取手２０を格納状態としたとき複写機装置本体１０の取手孔４１を塞ぐ閉塞部２４を設け、自身の弾性を利用して取手孔４１に取り付けるだけであるので、取手孔閉塞用弾性キャップ２２の製造組付けをきわめて簡単とすることができる。
【００４４】
また、取付部２３をはめ付けて複写機装置本体１０の引出し取手２０に弾性キャップ２２を取り付けるので、運搬時に弾性キャップ２２を取り外す必要がなく、紛失や付け忘れの心配がなく、さらに持ち運び時に引っ張って破損するおそれのない取手孔閉塞用弾性キャップ２２を提供することができる。
【図面の簡単な説明】
【００４５】
【図１】画像形成装置の一例である複写機の正面図である。
【図２】その複写機で用いる弾性キャップを表側から見て示す斜視図である。
【図３】その弾性キャップを裏側から見て示す斜視図である。
【図４】（Ａ）は引出し取手の先端部の正面図、（Ｂ）は側面図である。
【図５】（Ａ）は弾性キャップの嵌合孔に舌片を挿入して引出し取手に弾性キャップを取り付けた状態を示す正面図、（Ｂ）はその状態を弾性キャップの裏面側から見て示す図である。
【図６】引出し取手を使用しない通常時の状態を示す取手孔付近の断面図である。
【図７】弾性キャップの閉塞部を開いて取手孔を開放した状態を示す取手孔付近の断面図である。
【図８】引出し取手を引き出した状態における複写機の正面図である。
【図９】従来の複写機の正面図である。
【図１０】その複写機の装置本体から弾性キャップを取り外した状態を示す同複写機の正面図である。
【図１１】その後、引出し取手を引き出した状態における同複写機の正面図である。
【図１２】従来の別の画像形成装置の部分斜視図である。
【図１３】従来のさらに別の画像形成装置の正面図である。
【符号の説明】
【００４６】
１０    複写機装置本体（機器本体）
２０    引出し取手
２２    取手孔閉塞用弾性キャップ
２３    取付部
２４    閉塞部
２５    薄肉ヒンジ部
２６    突部に形成する嵌合孔
２７    突部
２８    突部に形成するフック部
２９    嵌合孔内周面に形成する突条
３０    閉塞部に設ける嵌合突部
３１    閉塞部に設けるラッチ部
３２    閉塞部に設ける溝部
３４    引出し取手に設ける舌片
３５    舌片の基部に設けるアンダーカット部
４０    複写機装置本体の外装カバー
４１    外装カバーに設ける取手孔
【図１】
2006222301.tif 000003
【図２】
2006222301.tif 000004
【図３】
2006222301.tif 000005
【図４】
2006222301.tif 000006
【図５】
2006222301.tif 000007
【図６】
2006222301.tif 000008
【図７】
2006222301.tif 000009
【図８】
2006222301.tif 000010
【図９】
2006222301.tif 000011
【図１０】
2006222301.tif 000012
【図１１】
2006222301.tif 000013
【図１２】
2006222301.tif 000014
【図１３】
2006222301.tif 000015